(57)【特許請求の範囲】
【請求項１】
底版と、前記底版上に形成されたコンクリート製の筒状の側壁とを備えたタンクであって、
前記側壁の底部に設けられた縦方向の緊張材と、
前記側壁に設けられた周方向の緊張材と、
を有し、
前記縦方向の緊張材の上端部が、前記周方向の緊張材によるプレストレスにより前記側壁に生じる鉛直面内の曲げモーメントによって前記側壁に発生する引張応力が、前記側壁のコンクリートの引張強度と同等となる箇所の高さ位置であって最も上にあり、且つ前記引張応力が前記側壁の内側側面近傍に生じている高さ位置の近傍において定着されたことを特徴とするタンク。
【請求項２】
前記側壁の底部は、その上方にある前記側壁の中間部に対し外側に拡幅した形状となっていることを特徴とする請求項１に記載のタンク。
【請求項３】
前記側壁の底部の外側側面は、下方に行くに従って外側へと向かうように直線状に傾斜することを特徴とする請求項２に記載のタンク。
【請求項４】
前記縦方向の緊張材の上端部は、前記中間部で定着されていることを特徴とする請求項２または請求項３に記載のタンク。
【請求項５】
前記縦方向の緊張材は、前記側壁の中間部と前記側壁の底部の境界近傍で外側に屈曲していることを特徴とする請求項４に記載のタンク。
【請求項６】
前記縦方向の緊張材の上端部は、前記中間部において、前記側壁の厚さ方向の中心に配置されることを特徴とする請求項４または請求項５に記載のタンク。
【請求項７】
前記縦方向の緊張材は、前記周方向の緊張材の内側に配置されることを特徴とする請求項１から請求項６のいずれかに記載のタンク。
【請求項８】
複数の前記縦方向の緊張材の上端部が、略同じ高さで定着されていることを特徴とする請求項１から請求項７のいずれかに記載のタンク。
【請求項９】
前記縦方向の緊張材はU字状に折り返されることを特徴とする請求項１から請求項８のいずれかに記載のタンク。
【請求項１０】
U字状に折り返された前記縦方向の緊張材の両端の間に、直線状の別の縦方向の緊張材が配置されることを特徴とする請求項９記載のタンク。
【請求項１１】
前記縦方向の緊張材は、前記側壁の底面において、前記側壁の厚さ方向の中心よりも外側に配置されることを特徴とする請求項１から請求項１０のいずれかに記載のタンク。
【請求項１２】
前記縦方向の緊張材の下端部が前記底版に埋設されていることを特徴とする請求項１から請求項１１のいずれかに記載のタンク。
【請求項１３】
前記縦方向の緊張材の下端部は前記側壁の底部に埋設され、
前記別の縦方向の緊張材の下端部は前記底版に埋設され、
前記別の縦方向の緊張材の上端部が、前記縦方向の緊張材と高さ位置において重複することを特徴とする請求項１０に記載のタンク。
【請求項１４】
前記側壁がプレキャストブロックを含み、
前記縦方向の緊張材の両端が前記プレキャストブロックに定着され、
前記縦方向の緊張材によるプレストレスが前記プレキャストブロックに導入されていることを特徴とする請求項１から請求項１３のいずれかに記載のタンク。
【請求項１５】
前記側壁の頂部に縦方向の緊張材が設けられたことを特徴とする請求項１から請求項１４のいずれかに記載のタンク。
【請求項１６】
底版上にコンクリート製の筒状の側壁を形成するタンクの構築方法であって、
前記側壁の底部に縦方向の緊張材を設け、
前記側壁に周方向の緊張材を設け、
前記縦方向の緊張材の上端部を、前記周方向の緊張材によるプレストレスにより前記側壁に生じる鉛直面内の曲げモーメントによって前記側壁に発生する引張応力が、前記側壁のコンクリートの引張強度と同等となる箇所の高さ位置であって最も上にあり、且つ前記引張応力が前記側壁の内側側面近傍に生じている高さ位置の近傍において定着することを特徴とするタンクの構築方法。
【発明の詳細な説明】
【技術分野】
【０００１】
本発明は、タンクおよびタンクの構築方法に関する。
【背景技術】
【０００２】
LNG（液化天然ガス）、LPG（液化石油ガス）などの低温の液体を貯留する設備として、PC（プレストレストコンクリート）タンクが用いられることがある。
【０００３】
図１５は、PCタンクとして、LNGを貯留するLNGタンク１００の例を示したものである。LNGタンク１００は、地盤７中の杭４で支持された底版５上に防液堤６を固定し、その内側に鋼板等による内槽３ａと外槽３ｂを設けたものである。LNGは内槽３ａにて貯留し、内槽３ａと外槽３ｂの間に断熱材を配置して保冷を行う。
【０００４】
防液堤６は、内槽３ａが破損した場合にLNGの外部への液漏れを防ぐために設けられるコンクリート製の側壁であり、通常円筒状である。防液堤６はLNGの液圧に耐え得る構造とする必要があり、そのため周方向の緊張材（不図示）によるプレストレスが導入される。
【０００５】
防液堤に周方向のプレストレスを導入することで液圧に抵抗できるが、防液堤は、常時はタンク内部から液圧がかかっていない状態にある。このため、防液堤には周方向のプレストレスによる鉛直面内の曲げモーメントが加わり、ひび割れ等の原因となる恐れがある。
【０００６】
これを抑制するため、防液堤に縦方向の緊張材を別に設けて追加のプレストレスを導入し、補強を行うことがある（例えば、特許文献１、２参照）。
【先行技術文献】
【特許文献】
【０００７】
【特許文献１】特開2005-350092号公報
【特許文献２】特開2011-148530号公報
【発明の概要】
【発明が解決しようとする課題】
【０００８】
このようなタンクでは、より効率良く且つ確実に防液堤の補強を行えることが望ましく、そのための方策が求められている。
【０００９】
本発明は、側壁を効率良く確実に補強できるタンク等を提供することを目的とする。
【課題を解決するための手段】
【００１０】
前述した課題を解決するための第１の発明は、底版と、前記底版上に形成されたコンクリート製の筒状の側壁とを備えたタンクであって、前記側壁の底部に設けられた縦方向の緊張材と、前記側壁に設けられた周方向の緊張材と、を有し、前記縦方向の緊張材の上端部が、前記周方向の緊張材によるプレストレスにより前記側壁に生じる鉛直面内の曲げモーメントによって前記側壁に発生する引張応力が、前記側壁のコンクリートの引張強度と同等となる箇所の高さ位置であって最も上にあり、且つ前記引張応力が前記側壁の内側側面近傍に生じている高さ位置の近傍において定着されたことを特徴とするタンクである。
【００１１】
本発明では、縦方向の緊張材の上端部を上記した位置で定着することで、周方向の緊張材によるプレストレスによって側壁に大きな曲げモーメントが生じる区間に縦方向の緊張材を配置し、側壁を効率良く確実に補強できるようになる。
【００１２】
前記側壁の底部は、その上方にある前記側壁の中間部に対し外側に拡幅した形状となっていることが望ましい。例えば、前記側壁の底部の外側側面は、下方に行くに従って外側へと向かうように直線状に傾斜する。
これにより、縦方向の緊張材を外側に偏心して配置するためのスペースを側壁の底部に確保でき、側壁の底部において効果的な補強を行うことが可能になる。
【００１３】
前記縦方向の緊張材の上端部は、例えば前記中間部で定着される。
縦方向の緊張材の上端部は、側壁に生じる曲げモーメントに応じて様々な高さで定着され、例えば側壁の中間部で定着される。
【００１４】
前記縦方向の緊張材は、前記側壁の中間部と前記側壁の底部の境界近傍で外側に屈曲していることが望ましい。
これにより、側壁の底部において縦方向の緊張材を外側に偏心して配置できるようになり、底部の補強効果を高めることができる。
【００１５】
前記縦方向の緊張材の上端部は、前記中間部において、前記側壁の厚さ方向の中心に配置されることが望ましい。さらに、前記縦方向の緊張材は、前記周方向の緊張材の内側に配置されることが望ましい。
縦方向の緊張材は、側壁内の内側部分に配置される補強筋や、側壁内に配置される周方向の緊張材等との兼ね合いも考慮し、側壁を効果的に補強できる上記のような位置に配置される。
【００１６】
複数の前記縦方向の緊張材の上端部が、略同じ高さで定着されていることが望ましい。
これにより、複数の縦方向の緊張材の定着位置まで側壁を構築した後、これら複数の緊張材の定着が一度にできるようになり、施工性が高まる。
【００１７】
前記縦方向の緊張材は、例えばU字状に折り返される。また、U字状に折り返された前記縦方向の緊張材の両端の間に、直線状の別の縦方向の緊張材が配置されていてもよい。
縦方向の緊張材の形状は施工性や補強目的に応じて様々に定めることができる。例えば緊張材をU字状とすることで、少ない本数で充分な密度に緊張材を配置でき、施工の手間も省略できる。また、U字状の緊張材の間に直線状の縦方向の緊張材を別に配置することで、緊張材の密度を高めることもできる。
【００１８】
前記縦方向の緊張材は、前記側壁の底面において、前記側壁の厚さ方向の中心よりも外側に配置されることが望ましい。
このように縦方向の緊張材を外側に偏心させることで、側壁の底部において高い補強効果が得られる。
【００１９】
前記縦方向の緊張材の下端部は、例えば前記底版に埋設される。あるいは、前記縦方向の緊張材の下端部が前記側壁の底部に埋設され、前記別の縦方向の緊張材の下端部が前記底版に埋設され、前記別の縦方向の緊張材の上端部が、前記縦方向の緊張材と高さ位置において重複する。
縦方向の緊張材の下端部の位置も、前記と同様施工性や補強目的に応じて様々に定めることができ、例えば緊張材の下端部を底版に埋設したり、側壁の底部に埋設したりすることが可能である。
【００２０】
前記側壁がプレキャストブロックを含み、前記縦方向の緊張材の両端が前記プレキャストブロックに定着され、前記縦方向の緊張材によるプレストレスが前記プレキャストブロックに導入されていることも望ましい。
予め縦方向の緊張材によるプレストレスを導入したプレキャストブロックを用いることで、側壁の施工を容易に行うことができる。
【００２１】
また、前記側壁の頂部に縦方向の緊張材が設けられることも望ましい。
これにより、側壁の頂部を補強することができる。
【００２２】
第２の発明は、底版上にコンクリート製の筒状の側壁を形成するタンクの構築方法であって、前記側壁の底部に縦方向の緊張材を設け、前記側壁に周方向の緊張材を設け、前記縦方向の緊張材の上端部を、前記周方向の緊張材によるプレストレスにより前記側壁に生じる鉛直面内の曲げモーメントによって前記側壁に発生する引張応力が、前記側壁のコンクリートの引張強度と同等となる箇所の高さ位置であって最も上にあり、且つ前記引張応力が前記側壁の内側側面近傍に生じている高さ位置の近傍において定着することを特徴とするタンクの構築方法である。
【発明の効果】
【００２３】
本発明により、側壁を効率良く確実に補強できるタンク等を提供することができる。
【図面の簡単な説明】
【００２４】
【図１】LNGタンク１の防液堤２を示す図
【図２】縦方向PC鋼材１３を示す図
【図３】縦方向PC鋼材１３の配置を示す図
【図４】縦方向PC鋼材１３の配置を示す図
【図５】周方向PC鋼材１１によって防液堤２に生じる曲げモーメントを示す図
【図６】防液堤２の構築方法を示す図
【図７】防液堤２ａの底部２１近傍を示す図
【図８】防液堤２ｂの底部２１近傍を示す図
【図９】防液堤２ｃの底部２１近傍を示す図
【図１０】防液堤２ｄの底部２１近傍を示す図
【図１１】プレキャストブロック１０を示す図
【図１２】LNGタンク１ａの防液堤２ｅを示す図
【図１３】周方向PC鋼材１１によって防液堤２ｅに生じる曲げモーメントを示す図
【図１４】LNGタンク１ｂの防液堤２ｆを示す図
【図１５】LNGタンク１００を示す図
【発明を実施するための形態】
【００２５】
以下、図面に基づいて本発明の好適な実施形態について詳細に説明する。
【００２６】
[第１の実施形態]
（１．LNGタンク１）
図１（ａ）は本発明の第１の実施形態に係るLNGタンク１の一部を示す図であり、防液堤２の厚さ方向の断面構成を示す図である。図１（ｂ）は防液堤２の底部２１付近を示す図である。
【００２７】
LNGタンク１は、図１５等で説明したLNGタンク１００と同様、底版５上に防液堤２を固定し、その内側に内槽（不図示）と外槽３ｂを設けたものである。前記したように、防液堤２は円筒状の側壁であり、内槽が破損した場合にLNGの外部への液漏れを防ぐため設けられる。防液堤２は所定の引張強度を有するコンクリートによって構築される。
【００２８】
防液堤２の底部２１は、その上方にある厚さ一定の中間部２２に対して外側に拡幅した形状となっている。底部２１の外側側面は、下方に行くに従って外側へと向かうように、鉛直方向に対して直線状に傾斜する。ここで、外側側面とはタンク外側の側面をいうものとし、タンク内側の側面は内側側面というものとする。
【００２９】
防液堤２内には、防液堤２の周方向の緊張材である周方向PC鋼材１１と、縦方向の緊張材である縦方向PC鋼材１３が設けられる。周方向PC鋼材１１と縦方向PC鋼材１３は、それぞれシース管１５、１６（図１（ｂ）参照）に通して配置される。なお、防液堤２内では、補強筋（不図示）等も縦方向PC鋼材１３の内側部分などで設けられる。
【００３０】
周方向PC鋼材１１は間隔を空けて上下に複数配置され、防液堤２の底部２１から頂部２３まで全高さに渡って設けられる。
【００３１】
縦方向PC鋼材１３は前記した防液堤２の補強目的のため設けられ、周方向PC鋼材１１の内側に配置される。
【００３２】
縦方向PC鋼材１３は、防液堤２の底部２１から中間部２２の下部までの区間（以下、補強区間ということがある）に設けられる。縦方向PC鋼材１３の上端部は、定着体などの定着部１３１（図１（ｂ）参照）によって防液堤２の中間部２２の下部で定着される。本実施形態では、この補強区間より上では縦方向PC鋼材が配置されない。
【００３３】
図１（ｂ）に示すように、縦方向PC鋼材１３の上端部は、防液堤２の中間部２２の厚さ方向の中心に配置される。縦方向PC鋼材１３は、中間部２２において鉛直方向に配置されるが、底部２１と中間部２２の境界近傍で外側に屈曲し、底部２１では下に行くに従って外側に向かうように鉛直方向に対して直線状に傾斜する。防液堤２の底面では縦方向PC鋼材１３が防液堤２の厚さ方向の中心より外側に偏心して配置されており、縦方向PC鋼材１３の下端部は底版５内に埋設される。
【００３４】
図２は縦方向PC鋼材１３を示す正面図である。縦方向PC鋼材１３は、折り返し部分（縦方向PC鋼材１３の下端部）でU字状に折り返され、両端（縦方向PC鋼材１３の上端部）が定着部１３１によって前記した位置で定着される。
【００３５】
図３は防液堤２の底部２１近傍を外側から見た図であり、防液堤２の周方向（図の左右方向に対応する）の縦方向PC鋼材１３の配置を示したものである。図３に示すように、本実施形態では、複数の縦方向PC鋼材１３が、防液堤２の周方向の位置において互いに重複している。図３の例では、１本の縦方向PC鋼材１３について、最大で片側あたり２本ずつ計４本の縦方向PC鋼材１３が重複している。また、図３に示す複数のPC鋼材１３の上端部は、防液堤２の中間部２２の下部に略同じ高さで定着される。
【００３６】
図４は図３と同じ範囲を示す斜視図である。本実施形態では、隣り合う縦方向PC鋼材１３の下端部が互いに干渉しないように、一部の縦方向PC鋼材１３の下端部を前方あるいは後方に折り曲げ、前後にずらして配置している。
【００３７】
例えば、図４に示す縦方向PC鋼材１３−１の下端部は折り曲げないが、その右隣の縦方向PC鋼材１３−２の下端部は後方に折り曲げられ、左隣の縦方向PC鋼材１３−３の下端部は前方に折り曲げられる。
【００３８】
（２．防液堤２の曲げモーメント）
図５（ａ）は、周方向PC鋼材１１によるプレストレスによって防液堤２に生じる鉛直面内の曲げモーメントを示す図である。図の縦軸は底版５からの高さであり、図の横軸は曲げモーメントの大きさを示す。横軸は、右に行くほどタンク内側方向の曲げモーメントが大きく防液堤２の外側側面の引張応力が大きくなり、左へ行くほどタンク外側方向の曲げモーメントが大きく防液堤２の内側側面の引張応力が大きくなることを示す。
【００３９】
図５（ａ）に示すように、底版５近傍では防液堤２にタンク内側方向の大きな曲げモーメントが生じるが、そこから高くなるにつれ、曲げモーメントの値は徐々に小さくなり、タンク外側方向の曲げモーメントへと転じてその値が増加し、ある高さ位置でピークとなる。そこからさらに高い位置になると、タンク外側方向の曲げモーメントは徐々に小さくなり、以降は０に近い値となる。
【００４０】
図５（ａ）のA、A’、A”は、上記の曲げモーメントによって防液堤２に発生する引張応力が、防液堤２のコンクリートの引張強度と同等となる箇所の高さ位置を示している。A”の位置では、防液堤２の外側側面近傍の引張応力が防液堤２のコンクリートの引張強度と同等となり、A、A’の位置では、防液堤２の内側側面近傍の引張応力が防液堤２のコンクリートの引張強度と同等となる。
【００４１】
本実施形態では、上記のA、A’、A”のうち最も上にある高さ位置Aの近傍において縦方向PC鋼材１３の上端部が定着される。これにより、防液堤２に大きな曲げモーメントが生じる区間（防液堤２の補強区間）を効率良く且つ確実に補強することができる。前記したように縦方向PC鋼材１３の上端部は防液堤２の中間部２２の下部で定着されるが、この定着位置は、図５（ｂ）に示すように上記の高さ位置Aに対応したものである。
【００４２】
（３．LNGタンク１の構築方法）
次に、図６を参照してLNGタンク１の構築方法について説明する。ここでは防液堤２の構築手順について主に説明する。
【００４３】
本実施形態では、図６（ａ）に示すように底版５をコンクリートにより構築し、底版５の上方で、前記した補強区間分の防液堤２を構築する。
【００４４】
防液堤２は現場打ちコンクリートやコンクリート製のプレキャストブロックを用いて構築されるが、ここでは現場打ちコンクリートによって防液堤２を構築するものとする。コンクリートは、補強区間の上端、すなわち縦方向PC鋼材１３の上端部の定着位置まで上下数ロットに分けて打設する。
【００４５】
防液堤２と底版５のコンクリートには、縦方向PC鋼材１３を通すためのシース管１６が埋設される。また、防液堤２のコンクリートには周方向PC鋼材１１を通すためのシース管１５やその他の補強筋（不図示）等も埋設される。
【００４６】
次に、図６（ｂ）に示すように縦方向PC鋼材１３をシース管１６に通して配置し、縦方向PC鋼材１３の緊張を行い上端部を定着部１３１によってコンクリートの上面に定着する。これにより、防液堤２の補強区間のコンクリートに縦方向のプレストレスが導入される。
【００４７】
その後、図６（ｃ）に示すように下から上へと防液堤２の頂部２３までコンクリートを順次打設する。前記と同様コンクリートは数ロットに分けて打設され、コンクリートには前記したシース管１５やその他の補強筋等も埋設される。
【００４８】
続いて、図６（ｄ）に示すように周方向PC鋼材１１をシース管１５に通して配置し、周方向PC鋼材１１の緊張を行って防液堤２に周方向のプレストレスを導入する。周方向PC鋼材１１の両端は防液堤２に設けたピラスター（不図示）に定着される。こうして防液堤２が構築される。この他前記した内槽や外槽３ｂ等の施工も併せて行うことにより、LNGタンク１が構築される。
【００４９】
以上説明したように、本実施形態によれば、縦方向PC鋼材１３の上端部を防液堤２の中間部２２の下部の前記した高さ位置Aで定着することで、周方向PC鋼材１１によるプレストレスによって防液堤２に大きな曲げモーメントが生じる区間に縦方向PC鋼材１３を配置し、防液堤２を効率良く確実に補強できるようになる。
【００５０】
また、防液堤２の底部２１は、その上方にある中間部２２に対し外側に拡幅した形状となっており、底部２１の外側側面は、下方に行くに従って外側へと向かうように直線状に傾斜する。縦方向PC鋼材１３は中間部２２と底部２１の境界近傍で外側に屈曲し、防液堤２の底面において、防液堤２の厚さ方向の中心よりも外側に配置される。防液堤２の底部２１では主にタンク内側方向の曲げモーメントが生じるので、防液堤２の底部２１を外側に拡幅させ、これにより確保された拡幅部分のスペースを利用して縦方向PC鋼材１３を外側に偏心して配置することで、防液堤２の底部２１において高い補強効果が得られる。
【００５１】
ただし、縦方向PC鋼材１３の配置や防液堤２の底部２２の形状は上記に限らない。例えば縦方向PC鋼材１３を屈曲させずに配置することも場合によっては考えられる。また防液堤２の底部２２を段状に拡幅させたり、あるいは拡幅させずに中間部２２と同等の厚みとしたりすることも可能である。
【００５２】
本実施形態では、縦方向PC鋼材１３の配置が、防液堤２内の内側部分に配置される補強筋や、防液堤２内に配置される周方向PC鋼材１１等との兼ね合いも考慮し、防液堤２が効果的に補強できるように定められる。例えば、縦方向PC鋼材１３を周方向PC鋼材１１より内側に配置することで周方向PC鋼材１１をスムーズにピラスターに定着することができる。ただし、縦方向PC鋼材１３を周方向PC鋼材１１より外側に配置することもでき、その場合縦方向の補強効果が高まる。
【００５３】
また防液堤２の中間部２２の下部では底部２１と異なり主にタンク外側方向の曲げモーメントが生じるので、縦方向PC鋼材１３はより内側にあることが望ましいが、防液堤２内の内側部分では補強筋等の配筋も行われる。このような補強筋の配置も勘案すると、縦方向PC鋼材１３は中間部２２では防液堤２の厚さ方向の中心に配置するのがよい。ただし、可能であれば防液堤２の厚さ方向の中心より内側に配置することもできる。
【００５４】
本実施形態では、複数の縦方向PC鋼材１３の上端部が略同じ高さで定着されるので、この定着位置まで防液堤２を構築した後、これら複数の縦方向PC鋼材１３の定着が一度にできるようになり、施工性が高まる。さらに、縦方向PC鋼材１３はU字状の形状を有するので、少ない本数で充分な密度にPC鋼材を配置でき、施工の手間も省略できる。
【００５５】
なお、本実施形態ではLNGタンク１の防液堤２の例を示したが、本発明は筒状の側壁を有するタンクであればLNGタンク１に限らず適用でき、例えばLPGタンク等のPCタンクやその他の各種タンクにも適用可能である。
【００５６】
以下、本発明のその他の例を第２〜第８の実施形態として説明する。各実施形態はそれまでに説明した実施形態と異なる点について主に説明し、同様の点については図等で同じ符号を付すなどして説明を省略する。また、第１の実施形態も含め、各実施形態で説明した構成は必要に応じて組み合わせて用いることが可能である。
【００５７】
［第２の実施形態］
図７は第２の実施形態に係る防液堤２ａの底部２１近傍を外側から見た図であり、縦方向PC鋼材１３、１４の防液堤２ａの周方向の配置を示したものである。
【００５８】
図７に示すように、第２の実施形態でも第１の実施形態と同様のU字状の縦方向PC鋼材１３が配置されるが、縦方向PC鋼材１３の密度（防液堤２ａの周方向の単位長さあたり本数）は第１の実施形態に比べて低くなっている。しかし本実施形態では、別のU字状の縦方向PC鋼材１４を追加して配置することで、防液堤２ａの底部２１においてPC鋼材の密度が高められる。
【００５９】
縦方向PC鋼材１４は縦方向PC鋼材１３よりも上下の長さが短く、U字状の縦方向PC鋼材１４の両端（縦方向PC鋼材１４の上端部）が防液堤２ａの底部２１と中間部２２の境界近傍で定着部１４１にて定着される。縦方向PC鋼材１４の折り返し部分（縦方向PC鋼材１４の下端部）は底版５内に埋設される。なお、防液堤２ａの底部２１は第１の実施形態と同様外側に拡幅しており、縦方向PC鋼材１４は、下に行くに従って外側に向かうように鉛直方向に対し傾斜して配置される。
【００６０】
［第３の実施形態］
図８は第３の実施形態に係る防液堤２ｂの底部２１近傍を外側から見た図であり、縦方向PC鋼材１３、１４ａの防液堤２ｂの周方向の配置を示したものである。
【００６１】
図８に示すように、第３の実施形態でも第１の実施形態と同様のU字状の縦方向PC鋼材１３が配置されるが、第２の実施形態と同様、縦方向PC鋼材１３の密度は第１の実施形態より低い。
【００６２】
本実施形態では、防液堤２ｂの底部２１において、U字状の縦方向PC鋼材１３の両端の間に直線状の別の縦方向PC鋼材１４ａを配置することで、第２の実施形態と同様、PC鋼材の密度が高められる。
【００６３】
縦方向PC鋼材１４ａの上端部は防液堤２ｂの底部２１と中間部２２の境界近傍で定着部１４１により定着され、縦方向PC鋼材１４ａの下端部は防液堤２ｂの底面で定着部１４１により定着される。なお、防液堤２ｂの底部２１も第１の実施形態と同様外側に拡幅しており、縦方向PC鋼材１４ａは、前記した縦方向PC鋼材１４と同様、下に行くに従って外側に向かうように鉛直方向に対し傾斜して配置される。
【００６４】
［第４の実施形態］
図９は第４の実施形態に係る防液堤２ｃの底部２１近傍を外側から見た図であり、縦方向PC鋼材１３ａ、１４ａの防液堤２ｃの周方向の配置を示したものである。
【００６５】
図９に示す縦方向PC鋼材１３ａは、下端部が防液堤２ｃの底部２１に埋設される点で前記の縦方向PC鋼材１３と異なっている。
【００６６】
また第４の実施形態では、防液堤２ｃの底部２１において、第３の実施形態と同様の縦方向PC鋼材１４ａがU字状の縦方向PC鋼材１３ａの両端の間に配置され、これにより防液堤２ｃの底部２１の補強を好適に行うことができる。縦方向PC鋼材１４ａの上端部の高さ位置は、縦方向PC鋼材１３ａと重複している。
【００６７】
［第５の実施形態］
図１０は第５の実施形態に係る防液堤２ｄの底部２１近傍を外側から見た図であり、縦方向PC鋼材１３ｂの防液堤２ｄの周方向の配置を示したものである。
【００６８】
図１０に示すように、第５の実施形態では、第１の実施形態などと同様の補強区間において、直線状の縦方向PC鋼材１３ｂが設けられる。縦方向PC鋼材１３ｂの上端部は防液堤２ｄの中間部２２の下部において定着部１３１で定着される。縦方向PC鋼材１３ｂの下端部は防液堤２ｄの底面に定着部１３１で定着される。その他は前記の縦方向PC鋼材１３と略同様である。
【００６９】
第２〜第５の実施形態のように、縦方向PC鋼材の形状や下端部の位置なども様々に定めることができ、施工性や補強目的に応じて適当なものとできる。
【００７０】
［第６の実施形態］
第６の実施形態は、第５の実施形態の防液堤２ｄの補強区間をプレキャストブロックにより構築する例である。図１１はこのプレキャストブロック１０（以下、ブロックということがある）を厚さ方向に見た図である。
【００７１】
図１１に示すように、第６の実施形態ではブロック１０が上下に複数重ねられており、各ブロック１０には、縦方向PC鋼材１３ｂの形状に沿って縦方向に連続するようにシース管１６が設けられる。なお、各ブロック１０には周方向PC鋼材１１を通すためのシース管１５やその他の補強筋（不図示）なども設けられる。
【００７２】
本実施形態では、上下のブロック１０で連続するシース管１６内に縦方向PC鋼材１３ｂが通され、これにより上下のブロック１０に縦方向のプレストレスが予め導入され、上下のブロック１０が一体化される。縦方向PC鋼材１３ｂの上端部は上端のブロック１０の上面に定着部１３１で定着される。縦方向PC鋼材１３ｂの下端部は下端のブロック１０の下面に定着部１３１で定着される。
【００７３】
第６の実施形態では、縦方向PC鋼材１３ｂにより予めプレストレスが導入され一体化されたこれらのブロック１０を配置することで防液堤２ｄの補強区間が構築され、これにより施工が省力化される。
【００７４】
なお、ブロックの構成は上記に限らず様々に定めることができ、防液堤に加わる力その他を考慮して適当なものとすればよい。
【００７５】
［第７の実施形態］
図１２は第７の実施形態に係るLNGタンク１ａの防液堤２ｅを示す図である。第７の実施形態では、防液堤２ｅ内に第１の実施形態と同様の周方向PC鋼材１１が設けられるが、縦方向PC鋼材１３ｃによる補強区間が短く、その上端部が防液堤２ｅの底部２１内で定着されている。
【００７６】
図１３（ａ）は、第７の実施形態において、周方向PC鋼材１１によるプレストレスにより防液堤２ｅに生じる鉛直面内の曲げモーメントを図５（ａ）と同様に示す図である。
【００７７】
本実施形態でも図５（ａ）と同様の曲げモーメントの変化となるが、全体的に曲げモーメントの値が小さく、Bに示す高さ位置でのみ、曲げモーメントによって防液堤２ｅに発生する引張応力が防液堤２ｅのコンクリートの引張強度と同等となる箇所が生じる。Bの位置では、防液堤２ｅの外側側面近傍の引張応力が防液堤２ｅのコンクリートの引張強度と同等となり、それより上では曲げモーメントによって防液堤２ｅに発生する引張応力が防液堤２ｅのコンクリートの引張強度を超えないようになっている。
【００７８】
そのため、本実施形態では、高さ位置Bの近傍において縦方向PC鋼材１３ｃの上端部が定着される。前記したように縦方向PC鋼材１３ｃの上端部は防液堤２ｅの底部２１で定着されるが、この定着位置は、図１３（ｂ）に示すように上記の高さ位置Bに対応したものとなっている。
【００７９】
［第８の実施形態］
図１４は第８の実施形態に係るLNGタンク１ｂの防液堤２ｆを示す図である。第８の実施形態では、防液堤２ｆ内に第１の実施形態と同様の周方向PC鋼材１１と縦方向PC鋼材１３が設けられるほか、防液堤２ｆの頂部２３に縦方向PC鋼材１７がさらに設けられる。これにより、防液堤２ｆの頂部２３の耐力を高めることが可能である。
【００８０】
以上、添付図面を参照して本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８１】
１、１ａ、１ｂ、１００；LNGタンク
２、２ａ、２ｂ、２ｃ、２ｄ、２ｅ、２ｆ、６；防液堤
２１；底部
２２；中間部
２３；頂部
３ａ；内槽
３ｂ；外槽
４；杭
５；底版
７；地盤
１０；プレキャストブロック
１１；周方向PC鋼材
１３、１３ａ、１３ｂ、１３ｃ、１４、１４ａ、１７；縦方向PC鋼材
１３１、１４１；定着部
１５、１６；シース管
【要約】
【課題】側壁を効率良く確実に補強できるタンク等を提供する。
【解決手段】LNGタンクでは、底版５上に防液堤２が固定される。防液堤２には周方向PC鋼材１１と縦方向PC鋼材１３が設けられる。縦方向PC鋼材１３の上端部は、周方向PC鋼材１１によるプレストレスにより防液堤２に生じる鉛直面内の曲げモーメントによって防液堤２に発生する引張応力が、防液堤２のコンクリートの引張強度と同等となる箇所の高さ位置A、A’、A”のうち最も上にある高さ位置Aの近傍において定着される。
【選択図】図５【図１】
0005966032.tif 000002
【図２】
0005966032.tif 000003
【図３】
0005966032.tif 000004
【図４】
0005966032.tif 000005
【図５】
0005966032.tif 000006
【図６】
0005966032.tif 000007
【図７】
0005966032.tif 000008
【図８】
0005966032.tif 000009
【図９】
0005966032.tif 000010
【図１０】
0005966032.tif 000011
【図１１】
0005966032.tif 000012
【図１２】
0005966032.tif 000013
【図１３】
0005966032.tif 000014
【図１４】
0005966032.tif 000015
【図１５】
0005966032.tif 000016